(57)【要約】【課題】より効率よくキャリッジ内の冷却を行なう。【解決手段】インクジェット装置１は、キャリッジ２、カバー３、ヘッドドライバ集積回路４と、ヒートシンク５とを備え、カバー３は、ヘッド８、ヘッドドライバ集積回路４及びヒートシンク５を覆うものであり、カバー３にはヒートシンク５を冷却するための空気を取り込むためのファン６と、排出する通気口２ａとが設けられており、ファン６と通気口２ａとの間にヒートシンク５が配設されている。【選択図】図１
2013120861.tif 000002
【特許請求の範囲】
【請求項１】
被記録媒体に対してインクを吐出するヘッドを搭載するためのキャリッジと、
上記キャリッジの一部として又は上記キャリッジとは別体に設けられた被覆部と、
ヘッドを駆動するためのヘッドドライバ集積回路と、
上記ヘッドドライバ集積回路で発生した熱を放熱する放熱部と、を備え、
上記被覆部は、上記ヘッド、上記ヘッドドライバ集積回路及び上記放熱部を覆うものであり、
上記被覆部が上記キャリッジの一部の場合には上記キャリッジに、上記被覆部が上記キャリッジとは別体の場合には上記被覆部及び上記キャリッジの少なくとも一方に、上記放熱部を冷却するための気体を上記被覆部で覆った領域の外から当該領域内に取り込むための気体導入部と、当該領域内から当該領域外に気体を排出する排気部とが設けられており、
上記気体導入部と上記排気部との間に上記放熱部が配設されていることを特徴とするインクジェット装置。
【請求項２】
上記排気部は、上記放熱部より上記ヘッド側に配設されていることを特徴とする請求項１に記載のインクジェット装置。
【請求項３】
上記ヘッドドライバ集積回路へデータを送信する回線が光ファイバであることを特徴とする請求項１又は２に記載のインクジェット装置。
【発明の詳細な説明】
【技術分野】
【０００１】
本発明はインクジェット装置に関する。
【背景技術】
【０００２】
特許文献１には、駆動回路の発熱を放熱する放熱器を装着したインクジェット記録装置が記載されている。
【先行技術文献】
【特許文献】
【０００３】
【特許文献１】特開２００５−１４４６９号公報（２００５年１月２０日公開）
【発明の概要】
【発明が解決しようとする課題】
【０００４】
ヘッドドライバ集積回路を搭載するキャリッジが、それ自体の構造又はカバー等を付けることにより、閉鎖系となる場合に、外部から空気を取り入れて冷却しようとしても、ヘッドドライバ集積回路で発生した熱で温められた空気がその内部に溜まり、冷却効率が落ちることが考えられる。
【０００５】
本発明はこのような問題に鑑みてなされたものであり、より効率よくキャリッジ内の冷却が可能なインクジェット装置を提供することを目的とする。
【課題を解決するための手段】
【０００６】
本発明に係るインクジェット装置は、被記録媒体に対してインクを吐出するヘッドを搭載するためのキャリッジと、上記キャリッジの一部として又は上記キャリッジとは別体に設けられた被覆部と、ヘッドを駆動するためのヘッドドライバ集積回路と、上記ヘッドドライバ集積回路で発生した熱を放熱する放熱部と、を備え、上記被覆部は、上記キャリッジに搭載されたヘッド、上記ヘッドドライバ集積回路及び上記放熱部を覆うものであり、上記被覆部が上記キャリッジの一部の場合には上記キャリッジには、上記被覆部が上記キャリッジとは別体の場合には上記被覆部及び上記キャリッジの少なくとも一方には、上記放熱部を冷却するための気体を上記被覆部で覆った領域の外から当該領域内に取り込むための気体導入部と、当該領域内から当該領域外に気体を排出する排気部とが設けられており、上記気体導入部と、上記排気部との間に上記放熱部が配設されていることを特徴としている。
【０００７】
気体導入部から取り込んだ気体で放熱部を冷却した上で、暖まった気体を排出部から排出することができる。よって、より効率よくキャリッジ内の冷却が可能である。
【０００８】
本発明に係るインクジェット装置では、上記排気部は、上記放熱部より上記ヘッド側に配設されていることがより好ましい。
【０００９】
ヘッドにより近い箇所から、放熱部で暖められた気体を排気することで、当該気体をインクが着弾した被記録媒体の乾燥に寄与させることができる。
【００１０】
本発明に係るインクジェット装置では、上記ヘッドドライバ集積回路へデータを送信する回線が光ファイバであることがより好ましい。
【００１１】
本発明ではヘッドドライバ集積回路を備えているが、その放熱部はより小さくすることが望ましい。しかし、放熱部を小さくすると放熱効果が低減する。そこで、ヘッドドライバ集積回路へのデータの送信に光ファイバを採用すると、放熱効果の低減を抑えることができる。なぜなら、光ファイバは省スペースで多くのデータを送信できるため、平面方向に大きな面積が必要なフレキシブルフラットケーブル等を用いる場合に比べて、気体導入部から導入した気体の流路を広く確保できるからである。なお、光ファイバはノイズの低減にも寄与する。
【発明の効果】
【００１２】
本発明によれば、より効率よくキャリッジ内を冷却できるという効果を奏する。
【図面の簡単な説明】
【００１３】
【図１】本発明の一実施形態に係るインクジェット装置１の構成の概略を示す図である。
【発明を実施するための形態】
【００１４】
以下、本発明の実施の形態について、図１を用いて詳細に説明する。図１は、インクジェット装置１の構成の概略を示す図である。図１では、カバー３の中を見えるように示した透視図である。
【００１５】
インクジェット装置１は、キャリッジ２、カバー（被覆部）３、プラテン７、ガイド機構９、光ファイバ１０を備えている。インクジェット装置１は、プラテン７に載せられたメディア（被記録媒体）１００にインクを吐出して描画するための装置である。
【００１６】
キャリッジ２はヘッド８を搭載するためのものである。ヘッド８を搭載したキャリッジ２はガイド機構９の規定する方向に沿って往復移動することでメディア１００上を走査しながら、ヘッド８からインクを吐出させる。当該方向は図１に対して手前から奥及び奥から手前の往復方向である。
【００１７】
キャリッジ２の側壁には通気口（排気部）２ａが設けられている。通気口２ａはキャリッジ２内に導入された空気（気体）をキャリッジ２外に排気するための開口部である。本発明に係るインクジェット装置が備える排気部は、本実施形態のような開口部には限定されず、例えば、ファンなどの送風機で構成してもよい。
【００１８】
通気口２ａは後述するヒートシンク（放熱部）５よりヘッド８側に設けられている。換言すれば、通気口２ａはヒートシンク５よりプラテン７に近い側に設けられているともいえる。これにより、ヒートシンク５を冷却することで暖められた空気がメディア１００に近い位置に排出される。メディア１００の近傍に排出された空気は、メディア１００に着弾したインクの乾燥に寄与する。つまり、本実施形態によれば、メディア１００の乾燥効率をより向上させることができる。
【００１９】
キャリッジ２の上面は開放されており、カバー３で覆われた空間と連続している。
【００２０】
カバー３はキャリッジ２の上方の空間を覆うものであり、ヘッド８、ヘッドドライバ集積回路４、ヒートシンク５を覆っている。
【００２１】
本実施形態では、キャリッジ２とカバー３とは別体に設けられ、接続されているが、本発明に係る被覆部はこのような形態に限定されない。被覆部はキャリッジの一部として設けられていてもよい。つまり、キャリッジがヘッド、ヘッドドライバ集積回路、放熱部を覆う閉鎖的な構造であってもよい。
【００２２】
カバー３は、ヘッドドライバ集積回路４等のその内に覆っているものをインクミストによる汚染から防ぐためのものである。インクジェットプリントにおいては、ヘッドからインクを吐出する際に発生するインクミストが自装置内を汚染する問題が発生する可能性がある。例えば、ヘッドドライバ集積回路がインクミストで汚染される可能性がある。ヘッドドライバ集積回路がインクミストで汚染されると動作不良等の問題が起こる。そこで、本発明では被覆部を設けることによって、インクミストによる汚染を防いでいる。
【００２３】
ヘッドドライバ集積回路４は、受信する描画対象の文字、絵等の情報に基づいてヘッド８を駆動するための信号を生成して、ヘッド８を駆動させて当該情報に基づく描画を行なわせるための集積回路である。
【００２４】
ヒートシンク５は、ヘッドドライバ集積回路４で発熱した熱を放散させてヘッドドライバ集積回路４の温度を下げるためのものである。
【００２５】
また、カバー３の上方にはファン（気体導入部）６が設けられている。
【００２６】
ファン６はカバー３で覆われた領域外から当該領域内に空気を送り込むためのものである。
【００２７】
ファン６と通気口２ａとの間にヒートシンク５が配設されている。この配置によりファン６によって導入された空気はヒートシンク５を冷却する。
【００２８】
ヒートシンク５を冷却することで暖まった空気はファン６から導入される新たな空気に押されてメディア１００の方向へ移動する。そして、通気口２ａからキャリッジ２外に排気される。これにより、上述のようにメディア１００に着弾したインクの乾燥に寄与する。
【００２９】
光ファイバ１０は図示しないコンピュータ等の制御部からヘッドドライバ集積回路４にデータを送るための回線である。
【００３０】
制御部は作図対象の図形等を表す情報を、光ファイバ１０を介して、ヘッドドライバ集積回路４に送信する。当該情報に基づきヘッドドライバ集積回路４はヘッド８を駆動させるための信号を作成する。
【００３１】
データの送信回線を光ファイバにすることによって、ファン６から導入された空気によるヒートシンク５の冷却効率をより向上させることができる。なぜなら、光ファイバは省スペースで多くのデータを送信できるため、平面方向に大きな面積が必要なフレキシブルフラットケーブル等を用いる場合に比べて、ファン６から導入した空気の流路を広く確保できるからである。これによりヒートシンク５を小型化することができるという更なる利点をも有する。また、光ファイバはノイズの低減にも寄与することからより好ましい。
【００３２】
なお、上述のように本発明に係るインクジェット装置において採用するデータの回線は光ファイバがより好ましいがこれに限定されるものではない。また、作図対象の図形等を表す情報の送受信回線に光ファイバを用いるとしても、インクジェット装置１のステータスを表す情報の送受信回線はフレキシブルフラットケーブルでもよい。
【００３３】
本実施形態では、キャリッジ２に通気口２ａが設けられ、カバー３にファン６が設けられているが、本発明はこのような形態に限定されない。即ち、本発明において気体導入部は被覆部及びキャリッジの少なくともいずれかに設けられていればよく、排気部も被覆部及びキャリッジの少なくともいずれかに設けられていればよい。
【００３４】
〔付記事項〕
以上のように、インクジェット装置１は、メディア１００に対してインクを吐出するヘッド８を搭載するためのキャリッジ２と、キャリッジ２とは別体に設けられたカバー３とを備えるインクジェット装置であり、キャリッジ２は、ヘッド８を駆動するためのヘッドドライバ集積回路４と、ヘッドドライバ集積回路４で発生した熱を放熱するヒートシンク５と、を備え、カバー３は、キャリッジ２に搭載されたヘッド８、ヘッドドライバ集積回路４及びヒートシンク５を覆うものであり、カバー３には、ヒートシンク５を冷却するための空気をカバー３で覆った領域の外から当該領域内に取り込むためのファン６が設けられており、キャリッジ２には当該領域内から当該領域外に空気を排出する通気口２ａとが設けられており、ファン６と、通気口２ａとの間にヒートシンク５が配設されている。
【００３５】
ファン６から取り込んだ空気でヒートシンク５を冷却した上で、暖まった気体を通気口２ａから排出することができる。よって、より効率よくキャリッジ２内の冷却が可能である。
【００３６】
インクジェット装置１では、通気口２ａは、ヒートシンク５よりヘッド８側に配設されていることがより好ましい。
【００３７】
ヘッド８により近い箇所から、ヒートシンク５で暖められた空気を排気することで、当該空気をインクが着弾したメディア１００の乾燥に寄与させることができる。
【００３８】
インクジェット装置１では、ヘッドドライバ集積回路４へデータを送信する回線が光ファイバ１０であることがより好ましい。
【００３９】
本実施形態ではヘッドドライバ集積回路４を備えているが、ヒートシンク５はより小さくすることが望ましい。しかし、ヒートシンク５を小さくすると放熱効果が低減する。そこで、ヘッドドライバ集積回路４へのデータの送信に光ファイバ１０を採用すると、放熱効果の低減を抑えることができる。なぜなら、光ファイバ１０は省スペースで多くのデータを送信できるため、平面方向に大きな面積が必要なフレキシブルフラットケーブル等を用いる場合に比べて、ファン６から導入した空気の流路を広く確保できるからである。なお、光ファイバ１０はノイズの低減にも寄与する。
【００４０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【００４１】
本発明は、インクジェット印刷に利用することができる。
【符号の説明】
【００４２】
１    インクジェット装置
２    キャリッジ
２ａ  通気口（排気部）
３    カバー（被覆部）
４    ヘッドドライバ集積回路
５    ヒートシンク（放熱部）
６    ファン（気体導入部）
８    ヘッド
１０  光ファイバ
１００  メディア（被記録媒体）
【図１】
2013120861.tif 000003